(57)【特許請求の範囲】
【請求項１】
ロビーに設置されたロビーインターホンと、各住戸に設置された住戸インターホンとを備えた集合住宅用インターホンシステムであって、
前記ロビーインターホンは、呼出操作部と、該呼出操作部が操作されると起動し撮影を行うカメラと、該カメラで撮影された映像を、モニター中であることを通知する文字情報とともに映し出す表示画面と、前記映像をロビーインターホンと住戸インターホンとの通話が開始されるまで録画する録画装置とを有していることを特徴とする集合住宅用インターホンシステム。
【請求項２】
ロビーに設置されたロビーインターホンと、各住戸に設置された住戸インターホンとを備えた集合住宅用インターホンシステムであって、
前記ロビーインターホンは、人感センサと、該人感センサによって人が検知されると起動し撮影を行うカメラと、該カメラで撮影された映像を、モニター中であることを通知する文字情報とともに映し出す表示画面と、前記映像をロビーインターホンと住戸インターホンとの通話が開始されるまで録画する録画装置とを有していることを特徴とする集合住宅用インターホンシステム。
【請求項３】
請求項１または請求項２において、
前記表示画面に前記映像を表示するか否かを設定できる選択機能を有していることを特徴とする集合住宅用インターホンシステム。
【発明の詳細な説明】
【技術分野】
【０００１】
本発明は、住戸インターホンと、ロビーインターホンとを備えた集合住宅用インターホンシステムの改良に関する。
【背景技術】
【０００２】
従来より、集合住宅の共同玄関となるロビーに電気錠を有したロビーインターホンを設置し、セキュリティ性を高めた上述のインターホンシステムが知られている。近年では、ロビーインターホンに来訪者を撮影するカメラを設け、住戸インターホン側でカメラが撮影した映像を確認してから、ロビーのオートロックの施解錠を行うインターホンシステムも知られている。
【０００３】
例えば、下記特許文献１には、共同玄関施解錠システムが開示されている。
これによれば、カメラにて来訪者を特定する認識情報としてバーコード様パターンが読取られ、その認識情報から来訪者が認証されて、電気錠が解錠される。
【先行技術文献】
【特許文献】
【０００４】
【特許文献１】特開２００６−９０００６号公報
【発明の概要】
【発明が解決しようとする課題】
【０００５】
ところで、従来より悪質なセールスマンが、ロビーインターホンから各住戸を呼び出すことや、ストーカー、不審者等の犯意のある来訪者、いたずら等が問題となっており、集合住宅のロビーからそのような来訪者の来訪を防ぐことができるシステムが求められている。
しかしながら、上記特許文献１は、認証情報の登録処理を簡易に行うことはできても、上述のような来訪者の訪問を未然に防げるシステムではなかった。
【０００６】
本発明は、上記実情に鑑みてなされたものであり、招かれざる来訪者の来訪等を未然に防いで、セキュリティ性の向上を図ることができる集合住宅用インターホンシステムを提供することを目的とする。
【課題を解決するための手段】
【０００７】
上記目的を達成するために、本発明に係る集合住宅用インターホンシステムは、ロビーに設置されたロビーインターホンと、各住戸に設置された住戸インターホンとを備えた集合住宅用インターホンシステムであって、前記ロビーインターホンは、呼出操作部と、該呼出操作部が操作されると起動し撮影を行うカメラと、該カメラで撮影された映像を、モニター中であることを通知する文字情報とともに映し出す表示画面と、前記映像をロビーインターホンと住戸インターホンとの通話が開始されるまで録画する録画装置とを有していることを特徴とする。
【０００８】
また本発明に係る集合住宅用インターホンシステムは、ロビーに設置されたロビーインターホンと、各住戸に設置された住戸インターホンとを備えた集合住宅用インターホンシステムであって、前記ロビーインターホンは、人感センサと、該人感センサによって人が検知されると起動し撮影を行うカメラと、該カメラで撮影された映像を、モニター中であることを通知する文字情報とともに映し出す表示画面と、前記映像をロビーインターホンと住戸インターホンとの通話が開始されるまで録画する録画装置とを有していることを特徴とする。
【０００９】
本発明において、前記表示画面に前記映像を表示するか否かを設定できる選択機能を有するようにしてもよい。
【発明の効果】
【００１１】
本発明に係る集合住宅用インターホンシステムによれば、招かれざる来訪者の来訪等を未然に防いで、セキュリティ性の向上を図ることができる。
【図面の簡単な説明】
【００１２】
【図１】本発明の一実施形態に係る集合住宅用インターホンシステムのブロック図である。
【図２】同集合住宅用インターホンシステムのロビーインターホンの表示画面の表示例を示した模式図である。
【図３】同集合住宅用インターホンシステムの基本動作の一例を説明するためのフロー図である。
【図４】同集合住宅用インターホンシステムの図３とは異なる基本動作の一例を説明するためのフロー図である。
【発明を実施するための形態】
【００１３】
以下に本発明の実施の形態について、図面を参照しながら説明する。
本実施形態に係る集合住宅用インターホンシステム１（以下、インターホンシステム１という）は、図１に示すように、各住戸に設置された住戸インターホン１１と、集合住宅の共用玄関となるロビーに設置されたロビーインターホン１２とを備えている。
ロビーインターホン１２は、呼出操作部１２ｂと、呼出操作部１２ｂが操作される、または人感センサ１２ｄが人を検知すると起動し撮影を行うカメラ１２ｃと、カメラ１２ｃで撮影された映像を映し出す表示画面１２ａとを有している。
以下、詳しく説明する。
【００１４】
インターホンシステム１の住戸インターホン１１とロビーインターホン１２とはインターホン回線１５で接続されており、さらに管理人室機１３、住戸インターホン１１とロビーインターホン１２との呼出、通話を制御する制御装置１４などを備えている。
インターホンシステム１の構成はこれに限定されず、この他、居住者を認証する認証装置、住戸インターホン１１を広域ネットワーク上のウェブサーバ装置などを備えていてもよく、この場合はさらに所望のサーバ装置に接続させるゲートウェイ装置が設けられる。
【００１５】
住戸インターホン１１には、各住戸の玄関先に設置されるドアホン子器１１ａが接続されており、その構成は特に限定されるものではないが、例えば住戸表示画面、通話キー、スピーカ、マイク、録画装置など（いずれも不図示）を備えている。
住戸インターホン１１は、住宅情報盤として構成されたものとしてもよく、この場合、各住戸のドアホン１１ａ以外にもセキュリティセンサ（図示なし）などが接続されている。
住戸表示画面は、各種画面、例えばロビーインターホン１２のカメラ１２ｃで撮影した映像を映す映像画面、セキュリティ画面、生活情報画面などを切替表示するように構成されている。
通話キーは、釦式に限らず、ハンドセットとしてもよく、これを操作するとロビーインターホン１２、または管理人室機１３と通話できるように構成されている。
録画装置は、カメラ１２ｃによって撮影された映像を録画するメモリであり、ロビーインターホン１２から呼び出しを受け、通話キーで応答操作がされた後、ロビーに来た人の映像を録画できるよう構成されている。
【００１６】
ロビーインターホン１２は、表示画面１２ａ、呼出操作部１２ｂ、通話部を構成するスピーカ１２ｇ、マイク１２ｆ、来訪者や住戸人など人を撮影するカメラ１２ｃ、人感センサ１２ｄ、録画装置１２ｅ（図１参照）、などを備えている。
表示画面１２ａは、液晶画面などで構成され、カメラ１２ｃで撮影した映像を映す映像画面、呼出表示画面などを切替表示するように構成されている。図２に示すように表示画面１２ａには、カメラ１２ｃで撮影された映像を映すだけでなく、モニター中であることや日付け、現在時刻を同時に表示するようにしてもよい。表示画面１２ａは、常時起動している必要はなく、呼出操作部１２ｂで操作が行われたときや人感センサ１２ｄが人を検知したときのみ、起動するように構成してもよい。
呼出操作部１２ｂは、住戸番号を指定して呼出操作を行うことができ、テンキー、呼出キー、取消キー（不図示）等で構成され、図３に示す動作例では、呼出操作部１２ｂでの呼出操作がトリガとなってカメラ１２ｃが起動する。ここでの呼出操作は、呼出操作部１２ｂを構成するいずれかのキーによる操作をいい、例えばテンキーが操作されず、いきなり呼出釦のみを操作した場合でもこれをトリガとしてカメラ１２ｃが起動する。
【００１７】
カメラ１２ｃは、図２に示すようにロビーインターホン１２の本体に取り付けられるようにしてもよいし、ロビーに来た人の撮影できる場所であれば、別途設けてもよく、カメラ１２ｃは、少なくとも、人の顔が撮影できるように設置される。
人感センサ１２ｄとしては、赤外線センサ、超音波センサなどを採用することができ、ロビーに来た人を検知できるセンサであればよい。よって、図２に示すようにロビーインターホン１２の本体に取り付けられるようにしてもよいし、ロビーに来た人を検知できる場所であれば、別途設けてもよい。
録画装置１２ｅは、カメラ１２ｃによって撮影された映像を録画するメモリであり、ロビーインターホン１２の本体内に内蔵される構成としてもよいし、別途設けられる構成としてもよい。
【００１８】
この他、住戸人を認証する機能を備えたインターホンシステムとした場合は、ロビーインターホン１２に認証装置が設けられる。この認証装置は、非接触式カードキーなどの認証媒体から読み取った認証情報と、登録されている認証情報とを対照して居住者を認証する装置であり、認証装置による認証が成功すれば、ロビー扉（不図示）が自動的に解錠するようになっている。
【００１９】
管理人室機１３は、集合住宅の管理する管理人室などに設置され、ロビーインターホン１２の表示画面１２ａに映像を表示するか否かを設定できる選択機能を有しており、管理人室機１３には、選択操作部１３ａ（図１参照）が設けられている。選択操作部１３ａによって、制御モードを選択するモード操作を行うことができ、表示画面１２ａに映像を表示する表示モードと表示画面１２ａに映像を表示しない非表示モードを設定することができる。
以上によれば、表示モードと非表示モードとを選択設定することができる。そのため、ロビーに来た来訪者を撮影し表示画面１２ａに映像を表示することが好ましくない場合は、非表示モードとすることで、表示を行わないようにすることもでき、臨機応変に対応することができる。
なお、この選択機能は、かならずしも管理人室機１３に設けられることに限定されず、制御装置１４やロビーインターホン１２に設けられるようにしてもよい。ロビーインターホン１２に設ける場合は、誰でも容易に変更操作ができないような構成とすることが望ましい。
【００２０】
管理人室機１３の構成は特に限定されないが、警報監視盤として構成されたものとしてもよい。この場合、各住戸や集合住宅の共用部で異常発生時に点灯する警報ランプ、タッチパネルなどで構成された管理表示画面、住戸番号を入力するテンキーやメニューキーで構成された操作部、通話部となるハンドセット、警報を出力するスピーカ（いずれも図示なし）などを備えている。
【００２１】
制御装置１４は、住戸インターホン１１と、ロビーインターホン１２あるいは管理人室機１３との間の信号伝送を制御する装置である。よって、住戸インターホン１１、ロビーインターホン１２、管理人室機１３のそれぞれは、図１に示すようにこの制御装置１４に接続されている。
制御装置１４と住戸インターホン１１との接続方式は特に限定されないが、デジタル式のインターホン回線１５としてもよく、その場合、送信先、送信元のアドレスを指定したデジタル信号伝送が行われる。プロトコルの物理レイヤは任意であるが、論理レイヤでＴＣＰ／ＩＰを利用できるようにしてもよく、この場合、住戸インターホン１１のそれぞれには、固有のグローバルＩＰアドレスあるいはローカルＩＰアドレスが割り当てられる。
また、制御装置１４とロビーインターホン１２あるいは管理人室機１３との信号伝送も同様である。なおインターホン回線１５は、一般的なツイストペアケーブルを用いてもよいし、専用ケーブルを用いてもよい。
【００２２】
続いて図３を参照しながら、インターホンシステム１の基本動作の一例について説明する。以下は、ロビーインターホン１２が表示モードに設定された場合の動作例である。
まず時刻Ｔ１では、管理人室機１３の選択操作部１３ａで表示モードが選択されるとロビーインターホン１２は、表示モードに設定される。
時刻Ｔ２では、ロビーインターホン１２の呼出操作部１２ｂが操作され、時刻Ｔ３ではこれをトリガとして表示画面１２ａが起動し、時刻Ｔ４ではカメラ１２ｃが起動する。時刻Ｔ５ではカメラ１２ｃによって撮影された映像がロビーインターホン１２の表示画面１２ａに表示される。
このとき、図２に示すようにモニター中であることや日時など、文字情報１２ａａを表示するようにしてもよい。またここでは表示画面１２ａが起動してからカメラ１２ｃが起動する例を説明しているが、同時であってもよいし、動作順序が逆であってもよい。
時刻Ｔ５では、カメラ１２ｃで撮影された映像が、表示画面１２ａに表示される。時刻Ｔ６では、カメラ１２ｃでの撮影映像が録画装置１２ｅに録画される。
ここでは、時刻Ｔ５と時刻Ｔ６の動作を別に表示しているが、カメラ１２ｃでの撮影がはじまると同時に録画を開始するようにしてもよい。
【００２３】
以上によれば、ロビーに来てロビーインターホン１２の呼出操作部１２ｂを操作した人は、表示画面１２ａに自分の姿が映し出されるので、自分がカメラ１２ｃで撮影されていることをすぐに認識することができる。このとき、ロビーに来た人が例えば犯意のあるストーカーなどであった場合は、自分がカメラ１２ｃで撮影されていることがわかるので、犯意がそがれ、ロビーから立ち去ることが期待できる。またロビーに来た人が例えばいたずらをしようとした子供などであった場合も、自分の姿が表示画面１２ａに映し出されると驚いて逃げ出すことが期待できる。
そのため、このインターホンシステム１によれば、招かれざる来訪者の来訪等を未然に防いで、セキュリティ性の向上を図ることができる。
そして上述したように表示画面１２ａに、カメラ１２ｃで撮影された映像だけでなく、モニター中であることや日付などの文字情報１２ａａがあわせて表示される場合は、録画されているのではないかという認識も生まれ、一層防犯性を高めることができる。
【００２４】
ロビーに来た人が、呼出操作部１２ｂでの操作で住戸番号を指定し呼出操作を行った場合、時刻Ｔ７では、ロビーインターホン１２が呼出操作を受け付けて、呼出信号を発信する。制御装置１４によって、指定された住戸の住戸インターホン１１が呼び出される。
時刻Ｔ８では、呼び出された住戸インターホン１１でチャイム音によって呼出報知がなされる。時刻Ｔ９では、ロビーインターホン１２からカメラ映像が送信され、住戸インターホン１１の住戸表示画面でカメラ映像の表示が開始される。時刻Ｔ１０では、住戸インターホン１１の通話キーで応答操作がされると応答信号がロビーインターホン１２に送信される。具体的には、制御装置１４は、住戸インターホン１１とロビーインターホン１２との間に排他的な通話チャンネルを構成して、通話信号の伝送を許可する。
時刻Ｔ１１では、ロビーインターホン１２側でのカメラ映像の録画は停止され、住戸インターホン１１側でのカメラ映像の録画が開始される。
ロビーインターホン１２で呼出操作がなされてから通話チャンネルが解放されるまでの間、ロビーインターホン１２のカメラ１２ｃが撮影したカメラ映像を住戸インターホン１１で表示するため、排他的な映像チャンネルが構成されて、ロビーインターホン１２から映像信号が伝送される。そして、来訪者の映像を住戸インターホン１１の住戸表示画面でモニターしながら対応できる。
【００２５】
以上によれば、ロビーインターホン１２の録画装置１２ｅでは、住戸インターホン１１との通話が開始されるまでは来訪者がどのような人かわからないとして録画を開始し継続させることができる。そのため、ロビーでのカメラ映像を録画できるので、何らかの犯罪が起こった際にその録画映像が証拠となる可能性もあり、集合住宅の共用部のセキュリティを高めることができる。また住戸インターホン１１との通話が開始された後は、ある住戸の来訪者であるとして、住戸インターホン１１側の録画装置でカメラ映像を録画する構成としている。そのため、ある住戸の住戸人と来訪者のやりとり状況が録画装置１２ｅに記録保存されることがなく、プライバシーに配慮することができる。
【００２６】
なお、図を参照しながら、非表示モードに設定した場合の基本動作の一例についての説明は省略するが、非表示モードの場合は、時刻Ｔ２の呼出操作部１２ｂが操作された後、時刻Ｔ３〜Ｔ６の制御の内、時刻Ｔ４のカメラ起動のみがなされ、時刻Ｔ７の呼出操作受け付け制御がなされる。その後は録画制御はされないが、住戸インターホン１１で呼出報知がなされ、ロビーインターホン１２から映像信号が伝送される。そして住戸インターホン１１で通話キー１１ｄが操作されると、ロビーの来訪者の映像を住戸インターホン１１でモニターしながら通話ができる。
また、図３に示す基本動作は、一例であって、これに限定されるものではない。
【００２７】
続いて図４には、図３とは異なるインターホンシステム１の特徴的な基本動作の一例を示している。ここでも表示モードに設定された場合の動作例を示している。
ここに示す基本動作の一例は、表示画面１２ａ及びカメラ１２ｃの起動のトリガが図３と異なるだけで、他の制御は同じであるので、異なる箇所のみ説明する。
時刻Ｔ２で、人感センサ１２ｄによって人が検知されると、時刻Ｔ３では表示画面１２ａが起動し、時刻Ｔ４ではカメラ１２ｃが起動する。以降の動作は図３の動作例と同様である。
以上によれば、図３の動作例と同様の効果を得ることができる。
また図４における動作例の場合は、ロビーインターホン１２の呼出操作部１２ｂによる操作を行わなくても、ロビーに設けられた人感センサ１２ａが人を検知するだけで表示画面１２ａが起動し、カメラ１２ｃで撮影された映像が表示する。よって、ロビーに来た人が例えば犯意のある来訪者である場合は、これら動作に驚いて犯意を喪失させる効果が期待できる。
【００２８】
なお、インターホンシステム１、住戸インターホン１１、ロビーインターホン１２などの構成は、図例に限定されるものではない。例えば、図ではロビーインターホン１２が１台設けられた例を示しているが、複数のロビーを備えた集合住宅の場合は、複数台のロビーインターホン１２が設けられる。またインターホンシステム１が、警報監視システムとしての機能を有している場合は、住戸インターホン１１は、セキュリティセンサが異常発生を検知すると、住戸表示画面に警報画面を表示すると共に、スピーカから警報メッセージを出力にしてもよい。また、住戸インターホン１１は、異常発生を検知すると管理人室機１３に通知し、管理人室機１３は、その通知を受信すると、警報を出力する。その後、管理人や警備員などの操作に応じて、異常発生を通知してきた住戸インターホン１１や、その近隣の住戸インターホン１１から、避難メッセージなどを出力させるようにしてもよい。
【符号の説明】
【００２９】
１      インターホンシステム
１１      住戸インターホン
１２      ロビーインターホン
１２ａ    表示画面
１２ｂ    呼出操作部
１２ｃ    カメラ
１２ｄ    人感センサ
１２ｅ    人感センサ
１３ａ      選択操作部
【図１】
0005760183.tif 000002
【図２】
0005760183.tif 000003
【図３】
0005760183.tif 000004
【図４】
0005760183.tif 000005